(57)【要約】【課題】アンテナを共用し且つＧＣ相互干渉を防止できるデュアルモードモバイル端末システムを提供すること。【解決手段】本発明に係るデュアルモードモバイル端末システムは、第一モード送受信チップ、第二モード送受信チップ、デュアルモードアンテナ、切換スイッチ、ダイプレクサー及び第一モードパワーアンプを備える。前記第一モード送受信チップは、前記第一モードパワーアンプ、前記切換スイッチ及び前記デュアルモードアンテナを介して第一モード無線信号を送受信し、前記第二モード送受信チップは、前記ダイプレクサー、前記切換スイッチ及び前記デュアルモードアンテナを介して第二モード無線信号を送受信する。前記切換スイッチは、前記第一モードパワーアンプ又は前記ダイプレクサーに導通される。【選択図】図１
2012114899.tif 000002
【特許請求の範囲】
【請求項１】
第一モード送受信チップ、第二モード送受信チップ、デュアルモードアンテナ、切換スイッチ、ダイプレクサー及び第一モードパワーアンプを備え、
前記切換スイッチと前記デュアルモードアンテナとは、互いに電気的に接続され、前記ダイプレクサー、前記第一モードパワーアンプ、前記第一モード送受信チップ及び前記第二モード送受信チップは、互いに電気的に接続され、前記第一モード送受信チップは、前記第一モードパワーアンプ、前記切換スイッチ及び前記デュアルモードアンテナを介して第一モード無線信号を送受信し、前記第二モード送受信チップは、前記ダイプレクサー、前記切換スイッチ及び前記デュアルモードアンテナを介して第二モード無線信号を送受信し、
前記切換スイッチは、前記第一モードパワーアンプ又は前記ダイプレクサーに導通され、前記第一モード送受信チップは、第一モード無線信号を検出した時に前記切換スイッチを前記第一モードパワーアンプに導通させるようにコントロールすることを特徴とするデュアルモードモバイル端末システム。
【請求項２】
前記切換スイッチは、信号受付端、第一信号伝送端及び第二信号伝送端を備え、前記信号受付端は、前記デュアルモードアンテナに電気的に接続され、前記第一信号伝送端及び前記第二信号伝送端は、それぞれ前記ダイプレクサー及び前記第一モードパワーアンプに電気的に接続されることを特徴とする請求項１に記載のデュアルモードモバイル端末システム。
【請求項３】
前記切換スイッチは、制御端を備え、前記第一モードパワーアンプには、アンテナスイッチモジュールが統合されており、且つ前記第一モードパワーアンプは、アンテナ信号ピン、制御ピン及び信号受信ピンを備え、
前記アンテナ信号ピン及び前記制御ピンは、それぞれ前記切換スイッチの第二信号伝送端及び制御端に電気的に接続されて、前記切換スイッチの信号受付端をコントロールして前記第一信号伝送端又は前記第二信号伝送端に導通させ、前記信号受信ピンは、前記第一モード送受信チップ、前記ダイプレクサー及び前記第二モード送受信チップに同時に電気的に接続されることを特徴とする請求項２に記載のデュアルモードモバイル端末システム。
【請求項４】
前記第一モードパワーアンプは、アンテナ信号ピン及び信号受信ピンを備え、前記アンテナ信号ピンは、前記切換スイッチの第二信号伝送端に電気的に接続されて、ＧＳＭ信号を受信するか又は送信し、前記信号受信ピンは、前記アンテナ信号ピンが伝送した無線信号を受信することを特徴とする請求項２に記載のデュアルモードモバイル端末システム。
【請求項５】
前記第一モードパワーアンプと前記第一モード送受信チップとは、互いに電気的に接続され、前記第一モード送受信チップは、第一モード無線信号を検出した時に前記第一モードパワーアンプの制御ピンにハイレベルを発生させることを特徴とする請求項３に記載のデュアルモードモバイル端末システム。
【請求項６】
前記第二モード送受信チップと前記ダイプレクサーとの間に電気的に接続される第二モードパワーアンプをさらに備えることを特徴とする請求項１に記載のデュアルモードモバイル端末システム。
【請求項７】
前記ダイプレクサーは、アンテナ信号インターフェイス、信号受信端及び信号送信端を備え、前記アンテナ信号インターフェイスは、前記切換スイッチの第一信号伝送端に電気的に接続され、前記信号受信端は、前記第二モード送受信チップに電気的に接続され、前記信号送信端は、前記第二モードパワーアンプを介して前記第二モード送受信チップに電気的に接続されることを特徴とする請求項６に記載のデュアルモードモバイル端末システム。
【請求項８】
前記第一モードパワーアンプは、ノンリニア増幅器であり、前記第二モードパワーアンプは、リニア増幅器であることを特徴とする請求項６に記載のデュアルモードモバイル端末システム。
【請求項９】
前記デュアルモードモバイル端末システムは、前記第一モード送受信チップ及び前記第二モード送受信チップに同時に電気的に接続されるベースバンドチップをさらに備え、
前記ベースバンドチップは、前記記第一モード送受信チップ及び前記第二モード送受信チップが伝送してきた電気信号をデコードしてオーディオ信号に復元し、又はオーディオ信号をベースバンド信号にコーディングすることを特徴とする請求項１に記載のデュアルモードモバイル端末システム。
【発明の詳細な説明】
【技術分野】
【０００１】
本発明は、モバイル端末システムに関し、特にデュアルモードモバイル端末システムに関するものである。
【背景技術】
【０００２】
現在、殆んどの携帯電話は、符号分割多重アクセス（Ｃｏｄｅ  Ｄｉｖｉｓｉｏｎ  Ｍｕｌｔｉｐｌｅ  Ａｃｃｅｓｓ）及びモバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ）という２つの通信機能を兼備する。このタイプの携帯電話において、ＣＤＭＡ信号及びＧＳＭ（登録商標）信号を送受信するため、ＣＤＭＡプラットフォーム及びＧＳＭプラットフォームは、それぞれ独立のＣＤＭＡ送受信チップ、ＣＤＭＡアンテナ、ＧＳＭ送受信チップ及びＧＳＭアンテナを必要とする。これゆえに、設計する時に、前記携帯電話のＧＳＭアンテナ及びＣＤＭＡアンテナを互いに遠く離れるように設けらなければならない。こうすると、信号を送信する時にＧＣ（ＧＳＭ−ＣＤＭＡ）相互干渉を避けることができる。しかし、ＧＳＭアンテナ及びＣＤＭＡアンテナの空間距離に対する要求は、携帯電話の小型化に不利になるし、電気回路の構造を複雑にさせるし、製造コストを上昇させる。
【発明の概要】
【発明が解決しようとする課題】
【０００３】
以上の問題点に鑑みて、本発明は、アンテナを共用し且つＧＣ相互干渉を防止できるデュアルモードモバイル端末システムを提供することを目的とする。
【課題を解決するための手段】
【０００４】
上記の目的を達成するために、本発明に係るデュアルモードモバイル端末システムは、第一モード送受信チップ、第二モード送受信チップ、デュアルモードアンテナ、切換スイッチ、ダイプレクサー及び第一モードパワーアンプを備える。前記切換スイッチと前記デュアルモードアンテナとは、互いに電気的に接続される。前記ダイプレクサー、前記第一モードパワーアンプ、前記第一モード送受信チップ及び前記第二モード送受信チップは、互いに電気的に接続される。前記第一モード送受信チップは、前記第一モードパワーアンプ、前記切換スイッチ及び前記デュアルモードアンテナを介して第一モード無線信号を送受信し、前記第二モード送受信チップは、前記ダイプレクサー、前記切換スイッチ及び前記デュアルモードアンテナを介して第二モード無線信号を送受信する。前記切換スイッチは、前記第一モードパワーアンプ又は前記ダイプレクサーに導通され、前記第一モード送受信チップは、第一モード無線信号を検出した時に前記切換スイッチを前記第一モードパワーアンプに導通させるようにコントロールする。
【発明の効果】
【０００５】
従来の技術と比較して、本発明のデュアルモードモバイル端末システムは、ダイプレクサー、第一モードパワーアンプ、第一モード送受信チップ及び第二モード送受信チップを同時に電気的に接続させて、１つのデュアルモードアンテナを共用することによってデュアルモード及びデュアルスタンバイを実現する。これにより、電気回線のコストを低減できる。また、本発明は、切換スイッチ及びダイプレクサーを設けることにより、異なるモードの信号を送信する時に信号の送信経路を互いに独立させて、ＧＣ相互干渉を防止できる。
【図面の簡単な説明】
【０００６】
【図１】本発明の実施形態に係るデュアルモードモバイル端末システムの機能モジュールを示す図である。
【発明を実施するための形態】
【０００７】
図１に示したように、本発明の実施形態に係るデュアルモードモバイル端末システム１００は、各種の無線通信装置に用いられることができる。
【０００８】
前記デュアルモードモバイル端末システム１００は、デュアルモードアンテナ１０、切換スイッチ２０、ダイプレクサー（ｄｉｐｌｅｘｅｒ）３０、第一モードパワーアンプ４０、第二モードパワーアンプ５０、第一モード送受信チップ６０、第二モード送受信チップ７０及びベースバンドチップ８０を備える。
【０００９】
前記デュアルモードアンテナ１０は、無線信号を送受信することに用いられる。本実施形態において、前記デュアルモードアンテナ１０は、ＧＳＭ８５０周波数バンド及びＣＤＭＡ８５０周波数バンドの信号を送受信する。前記第一モードパワーアンプ４０及び第一モード送受信チップ６０は、ＧＳＭ８５０周波数バンドの信号を処理し、前記第二モードパワーアンプ５０及び前記第二モード送受信チップ７０は、ＧＳＭ８５０周波数バンドの信号を処理する。
【００１０】
前記切換スイッチ２０は、アナログスイッチであり、信号受付端２２、第一信号伝送端２４、第二信号伝送端２６及び制御端２８を備える。前記信号受付端２２は、前記デュアルモードアンテナ１０に電気的に接続されて、前記デュアルモードアンテナ１０が伝送した無線信号を受信するか又は前記デュアルモードアンテナ１０に無線信号を送信する。前記第一信号伝送端２４及び前記第二信号伝送端２６は、それぞれ前記ダイプレクサー３０及び前記第一モードパワーアンプ４０に電気的に接続されて、前記ダイプレクサー３０及び前記第一モードパワーアンプ４０にそれぞれＣＤＭＡ信号及びＧＳＭ信号を伝送する。自然状態において、前記信号受付端２２は、前記第一信号伝送端２４と互いに導通する。前記制御端２８は、前記第一モードパワーアンプ４０に電気的に接続されて、前記第一モードパワーアンプ４０にコントロールされて前記信号受付端２２と前記第二信号伝送端２６とを導通することができる。
【００１１】
前記ダイプレクサー３０は、ＣＤＭＡ信号の送信経路及び受信経路を互いに隔離するために用いられて、アンテナ信号インターフェイス３２、信号受信端３４及び信号送信端３６を備える。前記アンテナ信号インターフェイス３２は、前記切換スイッチ２０の第一信号伝送端２４に電気的に接続されて、ＣＤＭＡ信号を伝送する。信号の相互干渉を防止するため、前記信号受信端３４及び前記信号送信端３６は、電気的に絶縁されてそれぞれＣＤＭＡ信号を受信するか又は送信する。前記信号受信端３４は、前記アンテナ信号インターフェイス３２が受信した信号を前記第二モード送受信チップ７０に伝送する。前記信号送信端３６は、前記第二モードパワーアンプ５０が伝送した信号を前記アンテナ信号インターフェイス３２に伝送する。
【００１２】
前記第一モードパワーアンプ４０は、ノンリニア（ｎｏｎ−ｌｉｎｅａｒ）増幅器であり、且つアンテナスイッチモジュール（Ａｎｔｅｎｎａ  Ｓｗｉｔｃｈ  Ｍｏｄｕｌｅ，ＡＳＭ）の機能を統合した。前記第一モードパワーアンプ４０は、前記切換スイッチ２０と前記第一モード送受信チップ６０との間に電気的に接続されて、ＧＳＭ信号を送信する時にＧＳＭ信号のパワーを増幅して、それにより送信パワーの要求を満たす。前記第一モードパワーアンプ４０は、アンテナ信号ピン４２、制御ピン４４及び信号受信ピン４６を備える。前記アンテナ信号ピン４２は、前記切換スイッチ２０の第二信号伝送端２６に電気的に接続されて、ＧＳＭ信号を受信するか又は送信する。前記制御ピン４４は、前記切換スイッチ２０の制御端２８に電気的に接続される。前記制御ピン４４がハイレベル（ｈｉｇｈ  ｌｅｖｅｌ）信号を生成すると、前記前記切換スイッチ２０の制御端２８は、前記ハイレベル信号を受信し、且つ前記信号受付端２２をコントロールしてそれを前記第一信号伝送端２４から第二信号伝送端２６に切り換える。即ち、ＣＤＭＡネットワークをＧＳＭネットワークに切り換える。このようにして、ＧＳＭ信号を受信する場合、ＧＳＭ信号は前記アンテナ信号ピン４２及び前記信号受信ピン４６を介して前記第一モード送受信チップ６０に伝送される。また、ＧＳＭ信号を送信する場合、ＧＳＭ信号は前記アンテナ信号ピン４２を介して前記切換スイッチ２０に伝送される。前記信号受信ピン４６及び前記ダイプレクサー３０の信号受信端３４は、互いに電気的に接続される。
【００１３】
前記第二モードパワーアンプ５０は、リニア（ｌｉｎｅａｒ）増幅器であり、且つ前記第二モード送受信チップ７０に電気的に接続されて、ＣＤＭＡ信号を送信する時にＣＤＭＡ信号のパワーを増幅して、それにより送信パワーの要求を満たす。前記第二モードパワーアンプ５０は、信号送信ピン５２を備える。前記信号送信ピン５２は、前記ダイプレクサー３０の信号送信端３６に電気的に接続される。
【００１４】
前記第一モード送受信チップ６０は、前記第一モードパワーアンプ４０及び前記ベースバンドチップ８０に同時に電気的に接続される。前記第一モード送受信チップ６０がＧＳＭネットワークを検出すると、前記第一モードパワーアンプ４０の制御ピン４４をコントロールしてハイレベルを発生させて、前記切換スイッチ２０の動作をコントロールして、ＧＳＭ信号を送受信する。前記第一モード送受信チップ６０は、信号受信ピン６２及び信号送信ピン６４を備える。前記信号受信ピン６２は、前記第一モードパワーアンプ４０の信号受信ピン４６に電気的に接続される。前記第一モード送受信チップ６０は、前記信号受信ピン６２を介してＧＳＭ信号を受信してから、それを復調して前記ベースバンドチップ８０に伝送する。これと同時に、前記第一モード送受信チップ６０は、前記ベースバンドチップ８０が伝送してきたベースバンド信号を変調し、且つ前記信号送信ピン６４を介して変調した後の信号を前記第一モードパワーアンプ４０に伝送する。
【００１５】
前記第二モード送受信チップ７０と前記ベースバンドチップ８０とは、互いに電気的に接続される。前記第二モード送受信チップ７０は、前記ダイプレクサー３０の信号受信端３４に電気的に接続される信号受信ピン７２と、前記第二モードパワーアンプ５０に電気的に接続される信号送信ピン７４と、を備える。前記第二モード送受信チップ７０は、前記信号受信ピン７２を介してＣＤＭＡ信号を受信してから、それを復調して前記ベースバンドチップ８０に伝送する。これと同時に、前記第二モード送受信チップ７０は、前記ベースバンドチップ８０から伝送してきたベースバンド信号を変調し、且つ前記信号送信ピン７４を介して変調した後の信号を前記第二モードパワーアンプ５０に伝送する。
【００１６】
本発明において、前記ダイプレクサー３０の信号受信端３４、前記第一モードパワーアンプ４０の信号受信ピン４６、前記第一モード送受信チップ６０の信号受信ピン６２及び前記第二モード送受信チップ７０の信号受信ピン７２が互いに電気的に接続されているため、前記切換スイッチ２０は前記第一モードパワーアンプ４０に導通しても、前記ダイプレクサー３０に導通しても、前記第一モード送受信チップ６０及び前記第二モード送受信チップ７０のそれぞれと前記デュアルモードアンテナ１０との電気的な接続を確保できる。即ち、本発明の無線通信装置は、デュアルモード及びデュアルスタンバイを実現できる。
【００１７】
前記ベースバンドチップ８０は、前記第一モード送受信チップ６０が伝送したＧＳＭ信号及び前記第二モード送受信チップ７０が伝送したＣＤＭＡ信号をデコードしてオーディオ信号に復元すると共に、前記オーディオ信号をベースバンドにコーディングしてから、前記第一モード送受信チップ６０又は前記第二モード送受信チップ７０に伝送する。
【００１８】
前記デュアルモードモバイル端末システム１００が動作する場合、前記第一モード送受信チップ６０がＣＤＭＡネットワークを検出した時に、前記切換スイッチ２０の信号受付端２２は前記第一信号伝送端２４に導通され、前記デュアルモードアンテナ１０が受信したＣＤＭＡ信号は、前記切換スイッチ２０を介して前記ダイプレクサー３０に入り、且つ前記信号受信端３４から前記第二モード送受信チップ７０に伝送される。前記第二モード送受信チップ７０は、このＣＤＭＡ信号をデコードしてから前記ベースバンドチップ８０に伝送して、前記ベースバンドチップ８０によりオーディオ信号にデコードする。これと同時に、前記ベースバンドチップ８０は、通話者のオーディオ信号をベースバンド信号にコーディングしてから、このベースバンド信号を前記第二モード送受信チップ７０により変調し且つ前記第二モードパワーアンプ５０により増幅してから前記デュアルモードアンテナ１０に伝送して、最終的に前記デュアルモードアンテナ１０により送信させる。送信する過程において、前記ダイプレクサー３０自体の隔離作用及び前記信号受付端２２と前記第一信号伝送端２４との導通によって、前記第二モード送受信チップ７０はＣＤＭＡ信号を送信する過程にＧＣ相互干渉が発生しない。
【００１９】
また、前記第一モード送受信チップ６０がＧＳＭネットワークを検出した時に、前記切換スイッチ２０の信号受付端２２は前記第二信号伝送端２６に導通され、前記デュアルモードアンテナ１０が受信したＧＳＭ信号は、前記切換スイッチ２０及び前記第一モードパワーアンプ４０を介して前記第一モード送受信チップ６０に入る。前記第一モード送受信チップ６０は、このＧＳＭ信号をデコードしてから前記ベースバンドチップ８０に伝送して、前記ベースバンドチップ８０によりオーディオ信号にデコードする。これと同時に、前記ベースバンドチップ８０は、通話者のオーディオ信号をベースバンド信号にコーディングしてから、このベースバンド信号を前記第一モード送受信チップ６０により変調し且つ前記第一モードパワーアンプ４０により増幅してから前記デュアルモードアンテナ１０に伝送して、最終的に前記デュアルモードアンテナ１０により送信させる。送信する過程において、前記ＧＳＭ信号は、前記第一モードパワーアンプ４０のアンテナ信号ピン４２から前記切換スイッチ２０に直接に入るので、前記第一モード送受信チップ６０はＧＳＭ信号を送信する過程にもＧＣ相互干渉が発生しない。
【００２０】
また、本発明のデュアルモードモバイル端末システム１００は、ＷＣＤＭＡ等の他の通信モードにも適用される。その場合、前記第一モード送受信チップ６０及び前記第二モード送受信チップ７０は、ＧＳＭ９００及びＣＤＭＡ９００等の周波数バンドをそれぞれサポートできる。
【００２１】
また、上記の実施形態に記載の第二モードパワーアンプ５０を前記第二モード送受信チップ７０に統合することができる。
【００２２】
上記の実施形態から分かるように、本発明のデュアルモードモバイル端末システム１００は、前記ダイプレクサー３０の信号受信端３４、前記第一モードパワーアンプ４０の信号受信ピン４６、前記第一モード送受信チップ６０の信号受信ピン６２及び前記第二モード送受信チップ７０の信号受信ピン７２を互いに電気的に接続することによって、アンテナを共用するモバイル端末機をデュアルモード及びデュアルスタンバイ状態にさせて、電気回線のコストを低減する。しかも、本発明は、切換スイッチ２０及びダイプレクサー３０を設けることにより、ＣＤＭＡ信号の送信経路及びＧＳＭ信号の送信経路を互いに独立させて、ＧＣ相互干渉を防止する。
【００２３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２４】
１０        デュアルモードアンテナ
２０        切換スイッチ
２２        信号受付端
２４        第一信号伝送端
２６        第二信号伝送端
２８        制御端
３０        ダイプレクサー
３２        アンテナ信号インターフェイス
３４        信号受信端
３６        信号送信端
４０        第一モードパワーアンプ
４２        アンテナ信号ピン
４４        制御ピン
４６        信号受信ピン
５０        第二モードパワーアンプ
５２        信号送信ピン
６０        第一モード送受信チップ
６２        信号受信ピン
６４        信号送信ピン
７０        第二モード送受信チップ
７２        信号受信ピン
７４        信号送信ピン
８０        ベースバンドチップ
１００      デュアルモードモバイル端末システム
【図１】
2012114899.tif 000003